(57)【特許請求の範囲】
【請求項１】
上下方向に分割されているとともに中央部がヒンジ結合された相対する分割側壁と、はね上げ可能に形成された相対するはね上げ側壁と、分割側壁の下部がヒンジ結合された底部と、分割側壁とはね上げ側壁の上部がヒンジ結合された上部フレームとを有する折り畳みコンテナにおいて、分割側壁、はね上げ側壁及び底部に、それぞれ、通気孔を穿設するとともに、上部フレームの垂直壁に、通気孔を穿設したことを特徴とする折り畳みコンテナ。
【請求項２】
蓋に、通気孔を穿設するとともに、底部に穿設された通気孔と蓋に穿設された通気孔の一部が、平面的に見て、同じ位置になるように構成したことを特徴とする請求項１に記載の折り畳みコンテナ。
【発明の詳細な説明】
【０００１】
【発明の属する技術分野】
本発明は、各種物品を、運搬、搬送或いは保管するために使用される折り畳み及び組み立て可能な、所謂、折り畳みコンテナに関するものである。
【０００２】
【従来の技術】
従来、上下方向に分割されているとともに中央部がヒンジ結合された相対する分割側壁と、はね上げ可能に形成された相対するはね上げ側壁と、分割側壁の下部がヒンジ結合された底部と、分割側壁とはね上げ側壁の上部がヒンジ結合された上部フレームと、必要に応じて配設された蓋とからなる折り畳みコンテナにおいて、生鮮品や植物や球根等を収容するために、分割側壁、はね上げ側壁及び底部に、通気孔を形成した折り畳みコンテナが知られている。
【０００３】
【発明が解決しようとする課題】
上述した従来の折り畳みコンテナにおいては、蓋部材や分割側壁とはね上げ側壁の上部をヒンジ結合する上部フレームには、通気孔が穿設されていないために、折り畳みコンテナの上部領域の通気性が悪く、上部領域に収容された生鮮品や植物や球根等が腐ったり、育成不良となる等の問題があった。
【０００４】
本発明の目的は、上述した従来の折り畳みコンテナが有する課題を解決することにある。
【０００５】
【課題を解決するための手段】
本発明は、上述した目的を達成するために、上下方向に分割されているとともに中央部がヒンジ結合された相対する分割側壁と、はね上げ可能に形成された相対するはね上げ側壁と、分割側壁の下部がヒンジ結合された底部と、分割側壁とはね上げ側壁の上部がヒンジ結合された上部フレームとを有する折り畳みコンテナにおいて、第１には、分割側壁、はね上げ側壁及び底部に、それぞれ、通気孔を穿設するとともに、上部フレームの垂直壁に、通気孔を穿設したものであり、第２には、蓋に、通気孔を穿設するとともに、底部に穿設された通気孔と蓋に穿設された通気孔との一部が、平面的に見て、同じ位置になるように構成したものである。
【０００６】
【実施例】
１は、略長方形状の底部であり、２は、上部フレームであり、３は、上部フレーム２に配設された適当な枢支軸を中心に回動可能な、相対して配置されたはね上げ側壁であり、４は、相対して配置された上下に分割された分割側壁であり、分割側壁４は、上部側壁４ａと下部側壁４ｂとからなり、上部側壁４ａの下部と下部側壁４ｂの上部とは、適当数のヒンジ４ｃによりヒンジ結合されているとともに、上部側壁４ａの上部は、上部フレーム２にヒンジ結合されており、下部側壁４ｂの下部は、底部１にヒンジ結合されている。５は、先端が、交互に嵌合する波状に形成された半蓋体５ａからなる蓋であり、半蓋体５ａは、波状に形成された先端部と反対側において、適当なヒンジ６により、上部フレーム２にヒンジ結合されている。
【０００７】
図１或いは図２に示されている組み立てられた状態の折り畳みコンテナは、先ず最初に、相対する一対のはね上げ側壁３を、図３に示されているように、上部フレーム２に配設された枢支軸を中心に、略水平状態になるまで上方に回動し、次いで、分割側壁４を形成する上部側壁４ａと下部側壁４ｂとを、ヒンジ４ｃを中心に、内側に、互いに重なる方向に回動させることにより、図４に示されているように、コンパクトに折り畳むことができるように構成されている。
【０００８】
図４に示されているように、折り畳まれた状態から、上部フレーム２を持ち上げると、蝶番４ｃにより連結された分割側壁４の上部側壁４ａと下部側壁４ｂとが拡開されて、上部側壁４ａと下部側壁４ｂが平らになる方向に回動し、更に、上部フレーム２を持ち上げると、相対する一対のはね上げ側壁３が下方に回動して、図１或いは図２に示されているように、折り畳みコンテナが組み立てられることになる。
【０００９】
底部１には、略全面に亘たって通気孔１ａが穿設されており、また、はね上
げ側壁３にも、略全面に亘たって、通気孔３ａが穿設されており、更に、分割
側壁４を構成する上部側壁４ａと下部側壁４ｂにも、それぞれ、上下２段に、所定の間隔で、縦長の通気孔４ａ１、４ｂ１が穿設されている。また、蓋５を構成する半蓋体５ａにも、略全面に亘たって通気孔５ａ１が穿設されている。なお、折り畳みコンテナが組み立てられ、蓋５により被蓋された状態において、底部１に穿設された通気孔１ａと、蓋５を構成する半蓋体５ａに穿設された通気孔５ａ１との多くが、平面的に見て、同じ位置になるように形成することが好ましく、このように、底部１に穿設された通気孔１ａと、蓋５を構成する半蓋体５ａに穿設された通気孔５ａ１の一部が、平面的に見て、同じ位置になるように形成することにより、上下方向に流れる空気の通気性が向上することになる。
【００１０】
次に、上部フレーム２及び上部フレーム２への蓋５の取り付けについて説明する。
【００１１】
上部フレーム２は、相対する長辺枠２ａと相対する短辺枠２ｂとから構成されており、長辺枠２ａは、板状の垂直壁２ａ１と、垂直壁２ａ１の上下端から外側に向かって水平方向に延在する上部水平フランジ２ａ２と下部水平フランジ２ａ３とを有しており、上部水平フランジ２ａ２と下部水平フランジ２ａ３との間には、適当な間隔で、垂直リブ２ａ４が形成されている。また、板状の垂直壁２ａ１には、略全面に亘たって通気孔２ａ５が穿設されている。２ａ６は、適当な間隔をおいて形成された、外側側部及び上部が開放された切り欠き部であり、切り欠き部２ａ６を形成する、相対する側壁２ａ６’には、後述するヒンジ６の水平ピンが挿入可能な透孔２ａ６”が穿設されている。なお、２ａ７は、分割側壁４を構成する上部側壁４ａを、上部フレーム２の長辺枠２ａにヒンジ結合するためのヒンジである。
【００１２】
短辺枠２ｂは、長辺枠２ａの上部水平フランジ２ａ２に面一な、上部水平フランジ２ａ２と同様の上部水平フランジ２ｂ１と、上部水平フランジ２ｂ１の内側端から下方に垂設された板状の上部垂直壁２ｂ２と、垂直壁２ｂ２の下端から外側に向かって水平方向に延在する中間水平フランジ２ｂ３と、中間水平フランジ２ｂ３の外側端から下方に垂設された板状の下部垂直壁２ｂ４とから形成されており、上部水平フランジ２ｂ１と中間水平フランジ２ｂ３との間には、適当な間隔で、垂直リブ２ｂ５が形成されている。また、上部垂直壁２ｂ２には、略全面に亘たって通気孔２ｂ６が穿設されている。本実施例においては、下部垂直壁２ｂ４には、通気孔が穿設されていないが、必要に応じて、下部垂直壁２ｂ４にも、通気孔を穿設することもできる。
【００１３】
蓋５を構成する半蓋体５ａの波状に形成された先端部の反対側には、凹部５ｂが形成されており、凹部５ｂを形成する、相対する側壁５ｂ１には、後述するヒンジ６の水平ピンが挿入可能な透孔５ｂ２が穿設されている。
【００１４】
半蓋体５ａと上部フレーム２とをヒンジ結合するためのヒンジ６は、側面形状が略楕円状の筒状本体６ａと、相対する側面６ｂに、該側面６ｂに垂直に、所定の間隔を置いて形成された一対の水平ピン６ｃとを有している。
【００１５】
半蓋体５ａと上部フレーム２とをヒンジ結合するには、上部フレーム２の長辺枠２ａに形成された切り欠き部２ａ６と、半蓋体５ａに形成された凹部５ｂとを一致させるように配置するとともに、上部フレーム２の長辺枠２ａの切り欠き部２ａ６を形成する側壁２ａ６’に穿設された透孔２ａ６”及び半蓋体５ａの凹部５ｂを形成する側壁５ｂ１に穿設された透孔５ｂ２に、ヒンジ６の水平ピン６ｃを嵌入させるとともに、上部フレーム２の長辺枠２ａの切り欠き部２ａ６と半蓋体５ａの凹部５ｂとにより形成される凹部に、ヒンジ６の筒状本体６ａが挿入されるようにする。このようにして、ヒンジ６により、半蓋体５ａと上部フレーム２とがヒンジ結合されるように構成されている。このように、相対する側面６ｂに、それぞれ、２本の水平ピン６ｃを有するヒンジ６により、半蓋体５ａと上部フレーム２とをヒンジ結合することにより、図２に示されているように、半蓋体５ａを、組み立てられた折り畳みコンテナの分割側壁４に重なるように、ヒンジ６を中心に回動することができ、従って、組み立てられた折り畳みコンテナへの物の出し入れの際に、半蓋体５ａが邪魔するようなことがなく、物の出し入れ作業の作業性が向上する。
【００１６】
本発明においては、上部フレーム２の長辺枠２ａを構成する板状の垂直壁２ａ１に、略全面に亘たって通気孔２ａ５を穿設するとともに、上部フレーム２の短辺枠２ｂを構成する板状の上部垂直壁２ｂ２に、略全面に通気孔２ｂ６を穿設したので、従来の折り畳みコンテナの上部フレームのように、通気孔が穿設されていないものに比べ、折り畳みコンテナの上部領域の通気性能が向上し、従って、折り畳みコンテナに収容された生鮮品や植物や球根等が腐ったり、育成不良となる等の問題が解消できる。
【００１７】
また、蓋５にも、通気孔５ａ１を穿設したので、折り畳みコンテナの通気性能が、より向上する。特に、底部１に穿設された通気孔１ａと、蓋５を構成する半蓋体５ａに穿設された通気孔５ａ１の一部が、平面的に見て、同じ位置になるように構成することにより、上下方向に流れる空気の通気性が向上し、更に、折り畳みコンテナの通気性能が向上する。
【００１８】
【発明の効果】
本発明は、以上説明したように構成されているので、以下に記載の効果を奏することができる。
【００１９】
分割側壁、はね上げ側壁及び底部に、それぞれ、通気孔を穿設するとともに、上部フレームの垂直壁に、通気孔を穿設したので、従来の折り畳みコンテナの上部フレームのように、通気孔が穿設されていないものに比べ、折り畳みコンテナの上部領域の通気性能が向上し、従って、折り畳みコンテナに収容された生鮮品や植物や球根等が腐ったり、育成不良となる等の問題が解消できる。
【００２０】
蓋に、通気孔を穿設するとともに、底部に穿設された通気孔と蓋に穿設された通気孔との一部が、平面的に見て、同じ位置になるように構成したので、上下方向に流れる空気の通気性が向上し、更に、折り畳みコンテナの通気性能が向上する。
【図面の簡単な説明】
【図１】図１は本発明の折り畳みコンテナの組み立てられた状態の斜視図である。
【図２】図２は蓋が開かれた本発明の折り畳みコンテナの組み立てられた状態の斜視図である。
【図３】図３は本発明の折り畳みコンテナの組み立て途中の斜視図である。
【図４】図４は本発明の折り畳みコンテナの折り畳まれた状態の斜視図である。
【図５】図５は本発明の折り畳みコンテナの上部フレームの斜視図である。
【図６】図６は本発明の折り畳みコンテナの蓋を構成する半蓋体の斜視図である。
【図７】図７は本発明の折り畳みコンテナを構成する上部フレームと蓋とヒンジの分解斜視図である。
【符号の説明】
１・・・・・・・・底部
２・・・・・・・・上部フレーム
３・・・・・・・・はね上げ側壁
４・・・・・・・・分割側壁
５・・・・・・・・蓋
【図１】
0003699637.tif 000002
【図２】
0003699637.tif 000003
【図３】
0003699637.tif 000004
【図４】
0003699637.tif 000005
【図５】
0003699637.tif 000006
【図６】
0003699637.tif 000007
【図７】
0003699637.tif 000008